(57)【要約】【課題】樹脂フレームの外力による撓みを抑制することができる画像読取装置及びそれを備えた画像形成装置を提供する。【解決手段】樹脂フレームと原稿載置台とを備えた画像読取装置は、原稿載置台と、第１から第３ガイド部材とを有する原稿載置台ユニットを備えている。原稿載置台の所定の第１方向において互いに対向する第１端部及び第２端部には、第１ガイド部材及び第２ガイド部材がそれぞれ固着されている。原稿載置台の第１方向に直交する第２方向における一方側の第３端部には、第３ガイド部材が固着されている。樹脂フレームは、第１ガイド部材側及び第２ガイド部材側でそれぞれ第１規制部及び第２規制部により原稿載置台ユニットの第２方向への移動を規制する。原稿載置台ユニットは、第３ガイド部材側で第３規制部により樹脂フレームの第２方向への撓みを規制する。【選択図】図１８
2019109420.tif 000002
【特許請求の範囲】
【請求項１】
上部に開口部を有する樹脂フレームと、前記樹脂フレームの前記開口部に着脱可能に設けられる原稿載置台とを備えた画像読取装置であって、
前記原稿載置台と、第１から第３ガイド部材とを有する原稿載置台ユニットを備え、
前記原稿載置台の所定の第１方向において互いに対向する第１端部及び第２端部には、第１ガイド部材及び第２ガイド部材がそれぞれ固着され、
前記原稿載置台の前記第１方向に直交する第２方向における一方側の第３端部には、第３ガイド部材が固着され、
前記樹脂フレームは、前記第１ガイド部材側及び前記第２ガイド部材側でそれぞれ第１規制部及び第２規制部により前記原稿載置台ユニットの前記第２方向への移動を規制し、
前記原稿載置台ユニットは、前記第３ガイド部材側で第３規制部により前記樹脂フレームの前記第２方向への撓みを規制することを特徴とする画像読取装置。
【請求項２】
請求項１に記載の画像読取装置であって、
前記第１規制部は、前記第１ガイド部材に設けられた第１係合部と、前記樹脂フレームにおける前記開口部の縁部に設けられて前記第１係合部を係止する第１係止部とを備えていることを特徴とする画像読取装置。
【請求項３】
請求項１又は請求項２に記載の画像読取装置であって、
前記第２規制部は、前記第２ガイド部材に設けられた第１固定部と、前記樹脂フレームに設けられて前記第１固定部を前記樹脂フレームに固定する第２固定部とを備えていることを特徴とする画像読取装置。
【請求項４】
請求項１から請求項３までの何れか１つに記載の画像読取装置であって、
前記第３規制部は、前記樹脂フレームに設けられた第２係合部と、前記第３ガイド部材に設けられて前記第２係合部を係止する第２係止部とを備えていることを特徴とする画像読取装置。
【請求項５】
請求項１から請求項４までの何れか１つに記載の画像読取装置であって、
前記第２ガイド部材は、両面粘着シートを介して前記原稿載置台の前記第２端部に接着されており、
前記両面粘着シートは、前記原稿載置台への接着力が前記第２ガイド部材への接着力よりも小さいことを特徴とする画像読取装置。
【請求項６】
請求項１から請求項５までの何れか１つに記載の画像読取装置であって、
前記樹脂フレームは、樹脂フレーム本体と、前記樹脂フレーム本体上に設けられて前記開口部を有する上カバー部材とを備え、前記原稿載置台は、前記上カバー部材の前記開口部に着脱可能に設けられ、
前記上カバー部材は、前記第１ガイド部材側及び前記第２ガイド部材側でそれぞれ前記第１規制部及び前記第２規制部により前記原稿載置台ユニットの前記第２方向への移動を規制し、前記原稿載置台ユニットは、前記第３ガイド部材側で前記第３規制部により前記上カバー部材を介して前記樹脂フレーム本体の前記第２方向への撓みを規制することを特徴とする画像読取装置。
【請求項７】
請求項１から請求項６までの何れか１つに記載の画像読取装置を備えたことを特徴とする画像形成装置。
【発明の詳細な説明】
【技術分野】
【０００１】
本発明は、樹脂フレームを備えた画像読取装置及びそれを備えた複写機、複合機、ファクシミリ装置等の画像形成装置に関する。
【背景技術】
【０００２】
画像読取装置に設けられるフレームとして、樹脂フレームが用いられることがある。このような画像読取装置では、樹脂フレームを極力薄く（例えば２ｍｍ〜３ｍｍ程度に）することが要求されている。そうすると、樹脂フレームの剛性が低くなり、外力により樹脂フレームが撓むという課題がある。
【０００３】
詳しくは、上部に開口部を有する樹脂フレームと、樹脂フレームの開口部に着脱可能に設けられる原稿載置台とを備えた画像読取装置において、例えば、使用者が操作する操作部材（例えば操作パネル）が樹脂フレームの外壁面に設けられる場合、使用者の操作部材への操作により樹脂フレームの外壁面に外力が加わって樹脂フレームの外壁面が撓むことがある。そうすると、例えば、操作部材の外装カバーと画像読取装置の本体カバーとの隙間が大きくなり、見栄えがよくない。
【０００４】
この点に関し、特許文献１には、サイズ指示板の突起物を本体上面の凹部に嵌合させた状態で本体上面に載置されたコンタクトガラスの縁部上面とサイズ指示板の下面とを接着する画像読取装置が記載されている。すなわち、特許文献１に記載の画像読取装置は、サイズ指示板の本体への位置決めを高精度に行うようになっている。
【先行技術文献】
【特許文献】
【０００５】
【特許文献１】特開２００１−１４２１５７号公報
【発明の概要】
【発明が解決しようとする課題】
【０００６】
しかしながら、特許文献１に記載の画像読取装置では、例えば、樹脂フレームが設けられる場合、樹脂フレームが撓むと、樹脂フレームの撓みにつられてサイズ支持板及びコンタクトガラスが移動するだけで、樹脂フレームの外力による撓みを抑制するようにはなっていない。
【０００７】
そこで、本発明は、上部に開口部を有する樹脂フレームと、樹脂フレームの開口部に着脱可能に設けられる原稿載置台とを備えた画像形成装置であって、樹脂フレームの外力による撓みを抑制することができる画像読取装置及びそれを備えた画像形成装置を提供することを目的とする。
【課題を解決するための手段】
【０００８】
前記課題を解決するために、本発明に係る画像読取装置は、上部に開口部を有する樹脂フレームと、前記樹脂フレームの前記開口部に着脱可能に設けられる原稿載置台とを備えた画像読取装置であって、前記原稿載置台と、第１から第３ガイド部材とを有する原稿載置台ユニットを備え、前記原稿載置台の所定の第１方向において互いに対向する第１端部及び第２端部には、第１ガイド部材及び第２ガイド部材がそれぞれ固着され、前記原稿載置台の前記第１方向に直交する第２方向における一方側の第３端部には、第３ガイド部材が固着され、前記樹脂フレームは、前記第１ガイド部材側及び前記第２ガイド部材側でそれぞれ第１規制部及び第２規制部により前記原稿載置台ユニットの前記第２方向への移動を規制し、前記原稿載置台ユニットは、前記第３ガイド部材側で第３規制部により前記樹脂フレームの前記第２方向への撓みを規制することを特徴とする。また、本発明に係る画像形成装置は、前記本発明に係る画像読取装置を備えたことを特徴とする。
【発明の効果】
【０００９】
本発明によると、樹脂フレームの外力による撓みを抑制することが可能となる。
【図面の簡単な説明】
【００１０】
【図１】本実施の形態に係る画像読取装置を備えた画像形成装置を正面から視た概略断面図である。
【図２】図１に示す画像形成装置本体を右斜め上方から視た概略斜視図である。
【図３】画像読取装置を右斜め上方から視た斜視図である。
【図４】画像読取装置の原稿載置台部分の分解斜視図である。
【図５】原稿載置台ユニットから第２ガイド板が取り外されている状態を示す斜視図である。
【図６】原稿載置台ユニットの樹脂フレームへの取り付け方法における第１工程を示す斜視図である。
【図７】原稿載置台ユニットの樹脂フレームへの取り付け方法における第２工程を示す斜視図である。
【図８】樹脂フレームが第１ガイド板側で第１規制部により原稿載置台ユニットの奥行方向への移動を規制する構成を説明するための斜視図である。
【図９】第１ガイド板を示す左斜め上方から視た斜視図である。
【図１０】樹脂フレームの開口部における凹溝を拡大して示す斜視図である。
【図１１】図３に示すＡ−Ａ線に沿った断面を右斜め上方からみた斜視図である。
【図１２】第１ガイド板を背面側の下方から視た斜視図である。
【図１３】第２ガイド板を裏返しにして正面側から視た斜視図である。
【図１４】第２ガイド板を背面側の下方から視た斜視図である。
【図１５】第２ガイド板が原稿載置台に接着されていない場合での第２ガイド板及び原稿載置台を示す断面図である。
【図１６】樹脂フレームの正面側部分を背面側の左斜め上方から視た斜視図である。
【図１７】第３ガイド板を背面側の下方から視た斜視図である。
【図１８】原稿載置台の第１端部を開口部の左側の端面に押し当てている状態を正面側の上方から視た斜視図である。
【図１９】原稿載置台と第２ガイド板とを接着する第２両面粘着シートの概略断面図である。
【図２０】樹脂フレームにおいて樹脂フレーム本体から上カバー部材を取り外した状態を示す斜視図である。
【発明を実施するための形態】
【００１１】
以下、本発明に係る実施の形態について図面を参照しながら説明する。以下の説明では、同一の部品には同一の符号を付してある。それらの名称及び機能も同じである。従って、それらについての詳細な説明は繰り返さない。
【００１２】
［画像形成装置］
図１は、本実施の形態に係る画像読取装置２００を備えた画像形成装置１００を正面から視た概略断面図である。図２は、図１に示す画像形成装置本体１１０を右斜め上方から視た概略斜視図である。図において、符号Ｘは正面から視て左右方向（第１方向）、符号Ｘ１，Ｘ２はそれぞれ左側（一方側）、右側（他方側）を表している。符号Ｙは左右方向Ｘに直交する奥行方向（第２方向）、符号Ｙ１，Ｙ２はそれぞれ正面側（一方側）、背面側（他方側）を表している。符号Ｚは上下方向、鉛直方向を表している。本実施の形態に係る画像形成装置１００は、モノクロ画像形成装置である。画像形成装置１００は、画像読取装置２００により読み取られた画像データ、又は、外部から伝達された画像データに応じて、画像形成処理を行う。なお、画像形成装置１００は、用紙Ｐに対して多色及び単色の画像を形成するカラー画像形成装置であってもよい。
【００１３】
画像形成装置１００は、原稿送り装置１０８と、画像形成装置本体１１０とを備えている。画像形成装置本体１１０には、画像形成部１０２と用紙搬送系１０３とが設けられている。
【００１４】
画像形成部１０２は、露光ユニット１、現像ユニット２、静電潜像担持体として作用する感光体ドラム３、クリーニング部４、帯電装置５及び定着ユニット７を備えている。また、用紙搬送系１０３は、給紙トレイ８１、手差し給紙トレイ８２、排出ローラ３１及び排出トレイ１４を備えている。
【００１５】
画像形成装置本体１１０の上部には、原稿Ｇの画像を読み取るための画像読取装置２００が設けられている。画像読取装置２００は、原稿Ｇが載置される原稿載置台２２１を備えている。原稿載置台２２１は、透明の強化ガラスからなる四角形状ものとされている。また、原稿載置台２２１の上側には原稿送り装置１０８が設けられている。画像形成装置１００では、画像読取装置２００で読み取られた原稿Ｇの画像は、画像データとして画像形成装置本体１１０に送られ、用紙Ｐ上に画像が記録される。
【００１６】
画像形成装置本体１１０には用紙搬送路Ｗ１が設けられている。給紙トレイ８１又は手差し給紙トレイ８２は、用紙Ｐを用紙搬送路Ｗ１に供給する。用紙搬送路Ｗ１は、用紙Ｐを転写ローラ１０及び定着ユニット７を経て排出トレイ１４に導く。定着ユニット７は、用紙Ｐ上に形成されたトナー像を用紙Ｐに加熱定着する。用紙搬送路Ｗ１の近傍には、ピックアップローラ１１ａ，１１ｂ、搬送ローラ１２ａ、レジストローラ１３、転写ローラ１０、定着ユニット７におけるヒートローラ７１及び加圧ローラ７２、排出ローラ３１が配設されている。
【００１７】
画像形成装置１００では、給紙トレイ８１又は手差し給紙トレイ８２にて供給された用紙Ｐはレジストローラ１３まで搬送される。次に、用紙Ｐはレジストローラ１３により用紙Ｐと感光体ドラム３上のトナー像とを整合するタイミングで転写ローラ１０に搬送される。感光体ドラム３上のトナー像は転写ローラ１０により用紙Ｐ上に転写される。その後、用紙Ｐは定着ユニット７におけるヒートローラ７１及び加圧ローラ７２に通過し、搬送ローラ１２ａ及び排出ローラ３１を経て排出トレイ１４上に排出される。用紙Ｐの表面だけでなく、裏面に画像形成を行う場合は、用紙Ｐは排出ローラ３１から反転用紙搬送路Ｗ２へ逆方向に搬送される。用紙Ｐは反転搬送ローラ１２ｂ〜１２ｂを経て用紙Ｐの表裏を反転してレジストローラ１３へ再度導かれる。そして、用紙Ｐは、表面と同様にして、裏面にトナー像が形成されて定着された後、排出トレイ１４へ向けて排出される。
【００１８】
［画像読取装置］
図３は、画像読取装置２００を右斜め上方から視た斜視図である。図４は、画像読取装置２００の原稿載置台２２１部分の分解斜視図である。
【００１９】
画像読取装置２００は、樹脂フレーム２１０と、原稿載置台ユニット２２０とを備えている。原稿載置台ユニット２２０は、平面から見て四角形状の原稿載置台２２１と、第１から第４ガイド板２２２〜２２５（ガイド部材）とを有している。樹脂フレーム２１０は、上部に開口部２１０ａを有している。原稿載置台２２１は、樹脂フレーム２１０の開口部２１０ａに着脱可能に設けられる。樹脂フレーム２１０は、この例では、ポリカーボネート（ＰＣ）とアクリロニトリルブタジエンスチレン共重合合成樹脂（ＡＢＳ）との混合樹脂とされている。
【００２０】
原稿載置台２２１の左側Ｘ１の第１端部２２１ａには、第１ガイド板２２２が接着（固着）されている。原稿載置台２２１の右側Ｘ２の第２端部２２１ｂには、第２ガイド板２２３が接着（固着）されている。第１ガイド板２２２及び第２ガイド板２２３は、左右方向Ｘにおいて互いに対向している。原稿載置台２２１の奥行方向Ｙにおける正面側Ｙ１の第３端部２２１ｃには、第３ガイド板２２４が接着（固着）されている。また、原稿載置台２２１の奥行方向Ｙにおける背面側Ｙ２の第４端部２２１ｄには、第４ガイド板２２５が接着（固着）されている。
【００２１】
（原稿載置台ユニットの樹脂フレームへの取り付け方法）
図５は、原稿載置台ユニット２２０から第２ガイド板２２３が取り外されている状態を示す斜視図である。図６は、原稿載置台ユニット２２０の樹脂フレーム２１０への取り付け方法における第１工程を示す斜視図である。また、図７は、原稿載置台ユニット２２０の樹脂フレーム２１０への取り付け方法における第２工程を示す斜視図である。
【００２２】
図５に示すように、第１ガイド板２２２、第３ガイド板２２４及び第４ガイド板２２５は、原稿載置台２２１に第１、第３及び第４両面粘着シートＴ１，Ｔ３，Ｔ４を介して接着されている。また、第２ガイド板２２３の下面には、第２両面粘着シートＴ２が貼り付けられている。そして、原稿載置台ユニット２２０は、作業者により第１工程及び第２工程を経て樹脂フレーム２１０に取り付けられる。
【００２３】
すなわち、第１工程では、先ず、第１ガイド板２２２、第３ガイド板２２４及び第４ガイド板２２５を貼り付けた原稿載置台２２１の第１端部２２１ａ（第１ガイド板２２２）が開口部２１０ａの左側Ｘ１の端面に押し当てられる（図６参照）。このとき、第１ガイド板２２２、第３ガイド板２２４及び第４ガイド板２２５を貼り付けた原稿載置台２２１は右側Ｘ２が上になるように斜めに傾斜している。次に、原稿載置台２２１は右側Ｘ２が下ろされて開口部２１０ａ上に載置される。
【００２４】
第２工程では、原稿載置台２２１が載置された開口部２１０ａの隙間ＳＰにおいて第２ガイド板２２３の背面側Ｙ２の端部が開口部２１０ａの背面側Ｙ２の端面に押し当てられる（図７参照）。このとき、第２ガイド板２２３は正面側Ｙ１が上になるように斜めに傾斜している。次に、第２ガイド板２２３は正面側Ｙ１が下ろされて開口部２１０ａの原稿載置台２２１に貼り付けられる。このとき、隙間ＳＰは第２ガイド板２２３により塞がれる。そして、第２ガイド板２２３側の第１固定部２４１が樹脂フレーム２１０側の第２固定部２４２にビス等の固定部材ＳＣ（図３参照）により固定される。かくして、原稿載置台ユニット２２０が樹脂フレーム２１０に取り付けられる。
【００２５】
＜第１実施形態＞
ところで、画像読取装置２００では、樹脂フレーム２１０を極力薄く（例えば２ｍｍ〜３ｍｍ程度に）している。そうすると、樹脂フレーム２１０の剛性が低くなり、外力により樹脂フレーム２１０が撓むという課題がある。
【００２６】
詳しくは、画像読取装置２００において、使用者が操作する操作パネル１０４（図２、図３参照）が樹脂フレーム２１０の外壁面２１０ｂ（取り付け部２１０ｂ１）に設けられている。この場合、使用者の操作パネル１０４への操作等により樹脂フレーム２１０の外壁面に外力が加わって樹脂フレーム２１０の外壁面が撓むことがある。
【００２７】
この点、本実施の形態では、樹脂フレーム２１０は、第１ガイド板２２２側及び第２ガイド板２２３側でそれぞれ第１規制部２３０及び第２規制部２４０により原稿載置台ユニット２２０の奥行方向Ｙ（特に正面側Ｙ１）への移動を規制している。原稿載置台ユニット２２０は、第３ガイド板２２４側で第３規制部２５０により樹脂フレーム２１０の奥行方向Ｙ（特に正面側Ｙ１）への撓みを規制している。
【００２８】
本実施の形態によれば、樹脂フレーム２１０が第１ガイド板２２２側及び第２ガイド板２２３側でそれぞれ第１規制部２３０及び第２規制部２４０により原稿載置台２２１の奥行方向Ｙへの移動を規制する。また、原稿載置台ユニット２２０が第３ガイド板２２４側で第３規制部２５０により樹脂フレーム２１０の奥行方向Ｙへの撓みを規制する。従って、たとえ樹脂フレーム２１０の奥行方向Ｙへの撓みが発生しても、第１規制部２３０及び第２規制部２４０により樹脂フレーム２１０の撓みにつられて第３ガイド板２２４及び原稿載置台２２１が奥行方向Ｙへ移動することを回避することができる。これにより、樹脂フレーム２１０の外力による撓みを抑制することができる。例えば、操作パネル１０４に設けられた外装カバー（図示せず）と画像読取装置２００に設けられた本体カバー（図示せず）との隙間が大きくなることを回避することができる。従って、見栄えよくすることができる。
【００２９】
（第１ガイド板）
図８は、樹脂フレーム２１０が第１ガイド板２２２側で第１規制部２３０により原稿載置台ユニット２２０の奥行方向Ｙへの移動を規制する構成を説明するための斜視図である。図９は、第１ガイド板２２２を示す左斜め上方から視た斜視図である。
【００３０】
図８及び図９に示すように、本実施の形態において、第１規制部２３０は、第１係合部２３１と第１係止部２３２とを備えている。第１係合部２３１は、第１ガイド板２２２に設けられている。第１係止部２３２は、第１係合部２３１を係止する。第１係止部２３２は、樹脂フレーム２１０における開口部２１０ａの縁部に設けられている。こうすることで、簡単な構成でありながら原稿載置台２２１の第１端部２２１ａの奥行方向Ｙへの移動を第１ガイド板２２２側で確実に規制することができる。
【００３１】
詳しくは、第１ガイド板２２２は、原稿Ｇの奥行方向Ｙにおけるサイズを指示するサイズ指示板を兼ねている。第４ガイド板２２５は、原稿Ｇの左右方向Ｘにおけるサイズを指示するサイズ指示板を兼ねている。第１係合部２３１は、第１ガイド板２２２の左側Ｘ１の端面から左側Ｘ１に突出して奥行方向Ｙに延びる凸部２３１ａとされている。第１係止部２３２は、樹脂フレーム２１０から上部に立設した壁２３２ａとされている。第１係合部２３１は第１係止部２３２に接触又は僅かな間隔をおいて近接した状態で配設される。これにより第１係合部２３１は第１係止部２３２により奥行方向Ｙへの移動が規制される。なお、図８では、第１係合部２３１及び第１係止部２３２の正面側Ｙ１のみの構成を示している。しかし、第１係合部２３１及び第１係止部２３２の背面側Ｙ２の構成も正面側Ｙ１の構成と同じとされている。
【００３２】
図１０は、樹脂フレーム２１０の開口部２１０ａにおける凹溝２１３を拡大して示す斜視図である。図１１は、図３に示すＡ−Ａ線に沿った断面を右斜め上方からみた斜視図である。
【００３３】
図１０及び図１１に示すように、樹脂フレーム２１０の開口部２１０ａの左側Ｘ１の縁部は、読み取った原稿Ｇを掬い上げる原稿ガイド部２１４（原稿ガイド板）とされている。原稿ガイド部２１４の右側Ｘ２の端面には、奥行方向Ｙの全域に亘って延びる凹溝２１３が形成されている。また、第１係合部２３１の奥行方向Ｙの中間部には、複数の突出部２３１ｂ（図９参照）が設けられている。突出部２３１ｂは、第１係合部２３１から斜め下方に延設されている。突出部２３１ｂは、凹溝２１３に挿入される。これにより、原稿載置台２２１の第１端部２２１ａ（第１ガイド板２２２）を開口部２１０ａの左側Ｘ１（原稿ガイド部２１４）の端面に確実に押し当てることができる。
【００３４】
図１２は、第１ガイド板２２２を背面側Ｙ２の下方から視た斜視図である。図１２に示すように、第１ガイド板２２２には位置決め部２２２ａが設けられている。位置決め部２２２ａは、原稿載置台２２１に対して第１ガイド板２２２を奥行方向Ｙにおいて位置決めする。位置決め部２２２ａは、第１ガイド板２２２の正面側Ｙ１の端部から下方に延設されている。位置決め部２２２ａには原稿載置台２２１に当接する複数のリブ片２２２ｂが設けられている。これにより、原稿載置台２２１に対して第１ガイド板２２２を奥行方向Ｙにおいて精度よく位置決めすることができる。第１両面粘着シートＴ１は、第１ガイド板２２２の下面の右側Ｘ２の端部に奥行方向Ｙに沿って貼り付けられている。また、第１ガイド板２２２の下面には白色のシェーディングシート２２２ｃが設けられている。
【００３５】
図１３は、第２ガイド板２２３を裏返しにして正面側Ｙ１から視た斜視図である。図１４は、第２ガイド板２２３を背面側Ｙ２の下方から視た斜視図である。本実施の形態において、第２規制部２４０は、第１固定部２４１と第２固定部２４２（図７参照）とを備えている。第１固定部２４１は、第２ガイド板２２３に設けられている。第２固定部２４２は、この例では、板金とされている。第２固定部２４２は、樹脂フレーム２１０に固定されている。第２固定部２４２は、ビス等の固定部材ＳＣ（図３参照）により第１固定部２４１を樹脂フレーム２１０に固定する。こうすることで、簡単な構成でありながら原稿載置台２２１の第２端部２２１ｂの奥行方向Ｙへの移動を第２ガイド板２２３側で確実に規制することができる。
【００３６】
詳しくは、第１固定部２４１は、第２ガイド板２２３の正面側Ｙ１の端部に設けられている。第１固定部２４１には、第２ガイド板２２３の下方に突出した円柱部が設けられている。第１固定部２４１には固定部材ＳＣを挿通する貫通孔２４１ａが設けられている。樹脂フレーム２１０の開口部２１０ａの背面側Ｙ２の端面には、奥行方向Ｙに貫通した貫通孔２１０ｃ（図６参照）が形成されている。また、第２ガイド板２２３の背面側Ｙ２の端部には、突出部２２３ａが設けられている。突出部２２３ａは、第２ガイド板２２３から背面側Ｙ２に延設されている。突出部２２３ａは、貫通孔２１０ｃに挿入される。これにより、第２ガイド板２２３の背面側Ｙ２の端部を開口部２１０ａの背面側Ｙ２の端面に確実に押し当てることができる。また、第２ガイド板２２３には位置決め部２２３ｂが設けられている。位置決め部２２３ｂは、原稿載置台２２１に対して第２ガイド板２２３を奥行方向Ｙにおいて位置決めする。位置決め部２２３ｂは、第２ガイド板２２３の正面側Ｙ１の端部から下方に延設されている。位置決め部２２３ｂには原稿載置台２２１に当接するリブ片２２３ｃが設けられている。これにより、原稿載置台２２１に対して第２ガイド板２２３を奥行方向Ｙにおいて精度よく位置決めすることができる。
【００３７】
図１５は、第２ガイド板２２３が原稿載置台２２１に接着されていない場合での第２ガイド板２２３及び原稿載置台２２１を示す断面図である。
【００３８】
ところで、図１５に示すように、第２ガイド板２２３が原稿載置台２２１に接着されていない場合、第２ガイド板２２３の下面２２３ｄと原稿載置台２２１の上面２２１ｅとの間に若干の隙間ｄが空くことがある。そうすると、原稿載置台２２１上の原稿Ｇが隙間ｄに入り込むことがある。この場合、隙間ｄから原稿Ｇを引っ張り出す際に、原稿Ｇが破損することがある。
【００３９】
この点、本実施の形態では、第２ガイド板２２３は、第２両面粘着シートＴ２を介して原稿載置台２２１の第２端部２２１ｂに接着されている。こうすることで、第２ガイド板２２３と原稿載置台２２１との間の隙間を無くすことができる。これにより、原稿載置台２２１上の原稿Ｇが第２ガイド板２２３と原稿載置台２２１との間の隙間に入り込むことを防止することができる。詳しくは、第２両面粘着シートＴ２は、第２ガイド板２２３の下面２２３ｄにおいて左側Ｘ１の端部に奥行方向Ｙに沿って貼り付けられている。
【００４０】
図１６は、樹脂フレーム２１０の正面側Ｙ１部分を背面側Ｙ２の左斜め上方から視た斜視図である。図１７は、第３ガイド板２２４を背面側Ｙ２の下方から視た斜視図である。また、図１８は、原稿載置台２２１の第１端部２２１ａを開口部２１０ａの左側Ｘ１の端面に押し当てている状態を正面側Ｙ１の上方から視た斜視図である。
【００４１】
図１６から図１８に示すように、本実施の形態において、第３規制部２５０は、第２係合部２５１と第２係止部２５２とを備えている。第２係合部２５１は、樹脂フレーム２１０に設けられている。第２係止部２５２は、第２係合部２５１を係止する。第２係止部２５２は、第３ガイド板２２４に設けられている。こうすることで、簡単な構成でありながら樹脂フレーム２１０の奥行方向Ｙへの撓みを第３ガイド板２２４側で確実に規制することができる。
【００４２】
詳しくは、図１６及び図１８に示すように、第２係合部２５１は、左右方向Ｘに延びる複数の凹部２５１ａとされている。複数の凹部２５１ａは、左右方向Ｘで揃うように樹脂フレーム２１０の上面に設けられている。左右方向Ｘにおいて中央部の凹部２５１ａは、両側の凹部２５１ａよりも長くなっている。複数の凹部２５１ａは、樹脂フレーム２１０の第１固定部Ｇ１に近い位置に設けられていることが好ましい。こうすることで、外力による樹脂フレーム２１０の撓みをさらに抑制することができる。
【００４３】
また、第２係合部２５１は、原稿載置台２２１に対して第３ガイド板２２４を奥行方向Ｙにおいて位置決めする位置決め部（溝部）とされている。第２係合部２５１の内壁の外側には第２係止部２５２と当接する１つ又は複数のリブ片２５１ｂ（図１６参照）が設けられている。これにより、原稿載置台２２１に対して樹脂フレーム２１０を奥行方向Ｙにおいて精度よく位置決めすることができる。なお、リブ片２５１ｂは、第２係合部２５１の内壁の外側に代えて或いは加えて内壁の内側に設けられていてもよい。
【００４４】
図１７及び図１８に示すように、第２係止部２５２は、左右方向Ｘに延びる複数の凸部２５２ａとされている。第３ガイド板２２４には位置決め部２２４ａが設けられている。位置決め部２２４ａは、原稿載置台２２１に対して第３ガイド板２２４を奥行方向Ｙにおいて位置決めする。位置決め部２２４ａは、第３ガイド板２２４の正面側Ｙ１の端部から下方に延設されている。凸部２５２ａは、位置決め部２２４ａの下面から下方に延設されている。
【００４５】
また、凸部２５２ａは、左右方向Ｘの距離が先端に行くに従って小さくなっている。すなわち、凸部２５２ａの左右方向Ｘの両端部には、左右方向Ｘの外側に位置につれて低くなる傾斜面２５２ｂを有している。位置決め部２２４ａには原稿載置台２２１に当接する複数のリブ片２２４ｂ（図１７参照）が設けられている。これにより、原稿載置台２２１に対して第３ガイド板２２４を奥行方向Ｙにおいて精度よく位置決めすることができる。第３両面粘着シートＴ３は、第３ガイド板２２４の下面の背面側Ｙ２の端部に左右方向Ｘに沿って貼り付けられている。
【００４６】
＜第２実施形態＞
図１９は、原稿載置台２２１と第２ガイド板２２３とを接着する第２両面粘着シートＴ２の概略断面図である。第２両面粘着シートＴ２は、原稿載置台２２１への第１接着力Ｆ１が第２ガイド板２２３への第２接着力Ｆ２よりも小さい。こうすることで、第２両面粘着シートＴ２が第２ガイド板２２３に付着した状態で多数回のメンテナンス作業において原稿載置台２２１に対して第２ガイド板２２３を容易に貼り付け取り外しすることができる。ここで、第２両面粘着シートＴ２として、原稿載置台２２１への多数回の貼り付け取り外しでも第１接着力Ｆ１が所定の接着力に維持されるものを用いる。
【００４７】
詳しくは、第２両面粘着シートＴ２は、下両面粘着シートＴ２１と上両面粘着シートＴ２２とからなっている。下両面粘着シートＴ２１は、シート本体Ｔ２１ａと両側の粘着剤Ｔ２１ｂ，Ｔ２１ｃとからなっている。上両面粘着シートＴ２２は、シート本体Ｔ２２ａと両側の粘着剤Ｔ２２ｂ，Ｔ２２ｃとからなっている。下両面粘着シートＴ２１は、両側の粘着剤Ｔ２１ｂ，Ｔ２１ｃの接着力が第１接着力Ｆ１とされている。上両面粘着シートＴ２２は、両側の粘着剤Ｔ２２ｂ，Ｔ２２ｃの接着力が第１接着力Ｆ１よりも大きい第２接着力Ｆ２とされている。下両面粘着シートＴ２１の上側の粘着剤Ｔ２１ｂと上両面粘着シートＴ２２の下側の粘着剤Ｔ２２ｂとが互いに接着されている。こうすることで、市販の下両面粘着シートＴ２１及び上両面粘着シートＴ２２を利用して第２両面粘着シートＴ２を構成することができる。ここで、上両面粘着シートＴ２２は、第１両面粘着シートＴ１、第３両面粘着シートＴ３及び第４両面粘着シートＴ４と同じものである。
【００４８】
なお、第２両面粘着シートＴ２として、シート本体の片側の粘着剤が第１接着力Ｆ１とされ、シート本体のもう片側の粘着剤が第２接着力Ｆ２とされた単一の両面粘着シートを用いてもよい。
【００４９】
＜第３実施形態＞
（樹脂フレーム）
図２０は、樹脂フレーム２１０において樹脂フレーム本体２１１から上カバー部材２１２を取り外した状態を示す斜視図である。
【００５０】
図２０に示すように、本実施の形態において、樹脂フレーム２１０は、樹脂フレーム本体２１１と上カバー部材２１２とを備えている。上カバー部材２１２は、樹脂フレーム本体２１１上に設けられている。上カバー部材２１２は、開口部２１０ａを有している。原稿載置台２２１は、上カバー部材２１２の開口部２１０ａに着脱可能に設けられる。
【００５１】
上カバー部材２１２は、樹脂フレーム本体２１１に対して３箇所の位置決め部Ｑ１，Ｑ２，Ｑ３で位置決めされている。位置決め部Ｑ１を構成する位置決め凸部Ｑ１１及び位置決め凹部Ｑ１２は、樹脂フレーム２１０の左側Ｘ１の端部且つ背面側Ｙ２の端部に設けられている。位置決め部Ｑ２を構成する位置決め凸部Ｑ２１及び位置決め凹部Ｑ２２は、樹脂フレーム２１０の右側Ｘ２の端部且つ背面側Ｙ２の端部に設けられている。位置決め部Ｑ３を構成する位置決め凸部Ｑ３１及び位置決め凹部Ｑ３２は、樹脂フレーム２１０の左右方向Ｘの中央部よりも左側Ｘ１寄り且つ正面側Ｙ１の端部に設けられている。位置決め凹部Ｑ２２は左右方向Ｘに沿って長穴になっている。位置決め凹部Ｑ３２は奥行方向Ｙに沿って長穴になっている。また、上カバー部材２１２は、樹脂フレーム本体２１１に対して複数箇所の固定部で固定されている。上カバー部材２１２側の第１固定部Ｇ１〜Ｇ１が樹脂フレーム本体２１１側の第２固定部Ｇ２〜Ｇ２にビス等の固定部材（図示せず）により固定されている。これにより、上カバー部材２１２は、樹脂フレーム本体２１１に対して位置決めされた状態で固定される。
【００５２】
かかる構成において、上カバー部材２１２は、第１ガイド板２２２側及び第２ガイド板２２３側でそれぞれ第１規制部２３０及び第２規制部２４０により原稿載置台ユニット２２０の奥行方向Ｙへの移動を規制する。原稿載置台ユニット２２０は、第３ガイド板２２４側で第３規制部２５０により上カバー部材２１２を介して樹脂フレーム本体２１１の奥行方向Ｙへの撓みを規制する。これにより、樹脂フレーム２１０が樹脂フレーム本体２１１と上カバー部材２１２とを備えていても、外力による樹脂フレーム本体２１１の撓みを抑制することができる。
【００５３】
（その他の実施の形態）
本実施の形態では、所定の第１方向の一方側を左側Ｘ１とし、他方側を右側Ｘ２としたが、第１方向の一方側を右側Ｘ２とし、他方側を左側Ｘ１としてもよい。また、所定の第２方向の一方側を正面側Ｙ１とし、他方側を背面側Ｙ２としたが、第２方向の一方側を背面側Ｙ２とし、他方側を正面側Ｙ１としてもよい。また、第１方向を奥行方向Ｙとし、第２方向を左右方向Ｘとしてもよい。
【００５４】
本発明は、以上説明した実施の形態に限定されるものではなく、他のいろいろな形で実施することができる。そのため、かかる実施の形態はあらゆる点で単なる例示にすぎず、限定的に解釈してはならない。本発明の範囲は請求の範囲によって示すものであって、明細書本文には、なんら拘束されない。さらに、請求の範囲の均等範囲に属する変形や変更は、全て本発明の範囲内のものである。
【符号の説明】
【００５５】
１００    画像形成装置
２００    画像読取装置
２１０    樹脂フレーム
２１０ａ  開口部
２１１    樹脂フレーム本体
２１２    上カバー部材
２２０    原稿載置台ユニット
２２１    原稿載置台
２２２    第１ガイド板（第１ガイド部材）
２２３    第２ガイド板（第２ガイド部材）
２２４    第３ガイド板（第２ガイド部材）
２３０    第１規制部
２４０    第２規制部
２５０    第３規制部
Ｆ１      第１接着力
Ｆ２      第２接着力
Ｇ        原稿
Ｔ２      第２両面粘着シート（両面粘着シート）
Ｘ        左右方向（第１方向）
Ｙ        奥行方向（第２方向）
Ｙ１      正面側（第２方向の一方側）
【図１】
2019109420.tif 000003
【図２】
2019109420.tif 000004
【図３】
2019109420.tif 000005
【図４】
2019109420.tif 000006
【図５】
2019109420.tif 000007
【図６】
2019109420.tif 000008
【図７】
2019109420.tif 000009
【図８】
2019109420.tif 000010
【図９】
2019109420.tif 000011
【図１０】
2019109420.tif 000012
【図１１】
2019109420.tif 000013
【図１２】
2019109420.tif 000014
【図１３】
2019109420.tif 000015
【図１４】
2019109420.tif 000016
【図１５】
2019109420.tif 000017
【図１６】
2019109420.tif 000018
【図１７】
2019109420.tif 000019
【図１８】
2019109420.tif 000020
【図１９】
2019109420.tif 000021
【図２０】
2019109420.tif 000022